(57)【要約】【課題】  強力な光源や高感度な光検出器を必要とせず、青果物や果汁の糖度を簡易に測定することができる非破壊品質検査装置を提供する。【解決手段】  本発明の検査装置は、青果物や果汁から散乱光を発生させるための光源と散乱光を測定するための散乱光検出器から構成され、青果物や果汁の屈折率変化による光散乱強度および散乱強度の角度分布の変化を使って青果物や果汁の糖度を検査する。【選択図】図３
2019211456.tif 000002
【特許請求の範囲】
【請求項１】
青果物又は果汁に光を照射し散乱光を生じさせるための光源と光散乱の強度または光散乱強度の角度分布を測定するための散乱光検出器を備え、当該検出器を使って測定した光散乱強度または光散乱強度の角度分布をあらかじめ作成した検量線を使って糖度に換算することを特徴とする青果物および果汁の品質検査装置。
【請求項２】
光源からの角度を変えて設置した複数の散乱光検出器を備え、当該検出器を使って測定した光散乱強度の角度分布から糖度を測定することを特徴とする請求項１記載の青果物および果汁の品質検査装置。
【請求項３】
散乱光強度の角度分布を測定するための複数の検出器のうち少なくとも１つが散乱角度１２０度以上かつ１５０度以下の位置に設置されることを特徴とする請求項１または２に記載の青果物および果汁の品質検査装置。
【請求項４】
光源からの光を青果物又は果汁に照射した際の光散乱画像を撮影するカメラを散乱角度９０度の位置に備え、当該カメラを用いて撮影した散乱画像の輝度分布から糖度を測定することを特徴とする請求項１記載の青果物および果汁の品質検査装置。
【請求項５】
散乱光検出器の周りに複数の光源をリング状（円周上）に設置したリング状光源を備え、当該光源からの光を照射した被測定物からの光散乱強度を測定することを特徴とする請求項１記載の青果物および果汁の品質検査装置。
【請求項６】
周期的に点滅する光源を備え、当該光源からの光を照射した青果物又は果汁からの散乱光の強度と外乱光の強度を交互に測定することにより、散乱光強度と外乱光強度を分離して測定することを特徴とする請求項１〜５のいずれかに記載の青果物および果汁の品質検査装置。
【請求項７】
散乱光を測定するために青果物又は果汁に光を照射する光源として発光ダイオード（ＬＥＤ）を使用することを特徴とする請求項１〜６のいずれかに記載の青果物および果汁の品質検査装置。
【請求項８】
光源からの光を青果物又は果汁に照射した際に発生する散乱光の強度を測定し、あらかじめ作成した検量線を使って糖度に換算する青果物および果汁の品質検査装置において、散乱光測定器が測定する散乱光の波長が４００ｎｍ以上かつ７００ｎｍ以下の範囲の可視光であり、糖分子の光吸収波長の光を含まないことを特徴とする請求項１〜７のいずれかに記載の青果物および果汁の品質検査装置。
【請求項９】
光源からの光を青果物又は果汁に照射した際に発生する散乱光の強度を測定し、あらかじめ作成した検量線を使って糖度に換算する青果物および果汁の品質検査装置において、散乱光測定器が測定する散乱光の波長が７００ｎｍ以上かつ１１００ｎｍ以下の範囲の近赤外光であって、糖分子の光吸収波長の光を含まないことを特徴とする請求項１〜７のいずれかに記載の青果物および果汁の品質検査装置。
【発明の詳細な説明】
【技術分野】
【０００１】  この発明は、青果物や果汁に光を照射した際に生じる散乱光の強度を測定することにより青果物や果汁の糖度を検査する非破壊検査装置に関するものである。
【背景技術】
【０００２】  みかん、りんご、スイカ、メロン、トマトなどの青果物やそれらの果汁では、糖度が重要な品質検査項目である。これらの青果物や果汁の糖度検査法としては、糖分子による近赤外光の光吸収を測定する非破壊検査法や果汁の屈折率を測定し糖度（Ｂｒｉｘ糖度）に換算する破壊検査法が行われている。摘果前および出荷前の非破壊糖度検査法としては、近赤外光を用いた光吸収測定法しかなく、摘果時期の決定や出荷の際の非破壊品質検査法として用いられている。糖分子による近赤外光の吸収を用いた青果物の糖度測定に関しては、特許文献１および非特許文献１、非特許文献２、非特許文献３がある。入射光近傍の後方散乱光に含まれる糖分子による光吸収を分光器付きのＣＣＤカメラを利用して測定する検査法に関しては非特許文献４がある。青果物の屈折率を使った糖度測定に関しては、特許文献２がある。青果物の反射光を利用した品質検査法に関しては、特許文献３がある。
【先行技術文献】
【特許文献】
【０００３】
【特許文献１】特開平７−６３６７４  青果物の糖度測定方法
【特許文献２】平１−３０１１４７  青果物の品質測定法およびその装置
【特許文献３】特許第３５７６７７３号  反射光を利用した非破壊測定装置
【非特許文献】
【０００４】
【非特許文献１】河野  澄夫、食糧  その科学と技術  農研機構、Ｎｏ．４３（２００５，３月）６９−８６．
【非特許文献２】荒川  博、中根  健、松浦  英之、大場  聖司、あたらしい農業、静岡県農林水産部、Ｎｏ．３７０  平成１３年、１−１０．
【非特許文献３】藤原  孝之、日本食品工学会誌、Ｖｏｌ．５，Ｎｏ．２，（２００４）５１−６２．
【非特許文献４】Ｙａｎｋｕｎ  Ｐｅｎｇ，Ｒｅｎｆｕ  Ｌｕ，“Ａｎａｌｙｓｉｓ  ｏｆ  ｓｐａｔｉａｌｌｙ  ｒｅｓｏｌｖｅｄ  ｈｙｐｅｒｓｐｅｃｔｒａｌ  ｓｃａｔｔｅｒｉｎｇ  ｉｍａｇｅｓ  ｆｏｒ  ａｓｓｅｓｓｉｎｇ  ａｐｐｌｅ  ｆｒｕｉｔ  ｆｉｒｍｎｅｓｓ  ａｎｄ  ｓｏｌｕｂｌｅ  ｓｏｌｉｄｓ  ｃｏｎｔｅｎｔ”，Ｐｏｓｔｈａｒｖｅｓｔ  Ｂｉｏｌｏｇｙ  ａｎｄ  Ｔｅｃｈｎｏｌｏｇｙ  ４８（２００８）５２−６２．
【発明の概要】
【発明が解決しようとする課題】
【０００５】  近赤外光の光吸収を用いた青果物および果汁の摘果前および出荷前の非破壊糖度検査法では、図１のように青果物７や果汁５に含まれる植物繊維からなる光散乱体４による光散乱のために青果物や果汁の透明度が低く、透過光６を直接測定するためには強力な光源と高感度な光検出器が必要である。このため、従来の糖分子による近赤外光の光吸収を用いた非破壊糖度検査法では、青果物７の表面に光を照射し青果物内部から発生する散乱光２に含まれる微弱な光吸収を測定して糖度に換算している。検査に利用できる光は特許文献１のように、青果物や果汁に含まれる糖分子による波長７８３、８３０、８９９、１０３１ｎｍの光吸収が測定できる波長７００ｎｍから波長１１００ｎｍの近赤外線や、青青果物からの光反射強度を使った特許文献２の検査方法で使用される波長９００ｎｍから波長１９２０ｎｍの光に限定される。この他、特許文献３のプリズムを用いて測定した青青果物の屈折率から糖度を推定する方法や、非特許文献１、非特許文献２、非特許文献３、非特許文献４の糖分子の近赤外線領域の光吸収を利用する糖度測定法があるが、いずれも近赤外領域の糖分子の光吸収を利用している。また、非特許文献４のＣＣＤカメラを使った検査法では、測定範囲が入射光近傍に限られており、広い散乱角度全体に渡っての測定は行われていない。【０００６】  果汁による可視光および近赤外光の光吸収スペクトルの例としてオレンジジュースとトマトジュースの光吸収スペクトルを図２に示す。オレンジジュースの波長５００ｎｍから波長１１００ｎｍの波長領域の吸収スペクトルおよび、トマトジュースの波長６００ｎｍから波長１１００ｎｍの波長領域の吸収スペクトルでは、波長９７０ｎｍ付近に水（Ｈ２Ｏ）の光吸収ピークが見られる他には糖分子による大きな光吸収ピークは観測できない。この波長領域では果実や果汁からの散乱光の強度は圧倒的に強く、糖分子による光吸収は微弱であるため測定は困難である。このため従来技術では吸収スペクトルの１次微分曲線や２次微分曲線を解析する演算手法により糖分子による光吸収を強調して検出していた。多くの果実や果汁で可視光から近赤外光の波長範囲で非常に強い光散乱が測定できるが、これまで糖分子の光吸収とは関係のない波長の散乱光強度を使った青果物や果汁の糖度検査は行われていない。この発明では、青果物や果汁の糖度検査を可能にするために散乱光強度または散乱光強度の角度分布測定を使った非破壊糖度検査装置を提供する。
【課題を解決するための手段】
【０００７】  本発明の検査装置は、図３のように青果物や果汁に光を照射し散乱光２を発生させるための光源１と散乱光強度を測定するために散乱角度（θ）９の位置に設置した散乱光検出器８から構成される。青果物７に含まれる果汁の糖度が変化すると図４のように糖度に対応して果汁の屈折率（ｎ０）が変化する。果汁の屈折率（ｎ０）が糖度によって変化するため、果汁の屈折率（ｎ０）と青果物や果汁に含まれるセルロース（ｎｓ＝１．５３〜１．６０）やリグニン（ｎｓ＝１．６１）などの光散乱体の屈折率（ｎｓ）との比率（ｎｓ／ｎ０）が糖度によって変化する。この結果、青果物や果汁の光散乱強度と光散乱強度の角度分布が糖度によって変化する。本発明の検査装置では、従来行われていた青果物や果汁の糖分子による光吸収強度や表面反射強度の測定ではなく光散乱強度を使って非破壊糖度検査を行う。【０００８】  本発明の検査装置では、果汁の屈折率変化に伴い散乱体（セルロースやリグニン）と果汁の屈折率比（ｎｓ／ｎ０）が変化することによって光散乱特性が変化する現象を利用して、光散乱強度または光散乱強度の角度変化を測定して果汁の糖度を検査する。果汁の屈折率変化に伴う光散乱特性の変化を利用するため、さまざまな波長の光を使って糖度を測定することが可能になる。糖分子の光吸収に関係なく光散乱強度の測定によって糖度の非破壊検査が可能になる。光源としては青果物や果汁から散乱光が発生すれば良く、青果物や果汁の内部に侵入しやすい（透過しやすい）波長の光源をすべて利用することが可能になり、光源を選ばない効果的な品質検査が可能になる。本発明の検査装置では、強力な散乱光そのものを糖度検査に使用するため高感度な検出器を必要とせず、測定が容易に行えるという利点がある。【０００９】  青果物や果汁の光散乱強度は散乱角度（θ）９によって変化する。散乱角度（θ）が１２０度以上かつ１５０度以下の範囲では、糖度の変化に対して光散乱強度が変化しない散乱角度が存在する。オレンジジュースの場合はこの角度は１４０度である。糖度によって散乱強度が変化しない散乱角度よりも高角度側では、糖度の増加に対して光散乱強度が減少し、低角度側では、糖度の増加に対して光散乱強度が増加する。したがって、あらかじめ標準試料を用いて散乱角度ごとに糖度と光散乱強度との間の検量線を作成すれば、光散乱強度の測定値から糖度を検査することができる。光散乱強度が試料の糖度によって変化しない散乱角度での測定値は、糖度の変化以外の原因による光散乱強度の変動（外乱）を補正するために利用できる。【００１０】  光源１としては、ハロゲンランプなどの連続光の他に、フィルターを使って赤外線を除去したハロゲンランプ（コールドライト）、白色ＬＥＤ、発光ピーク波長６００ｎｍの黄色ＬＥＤ、発光ピーク波長６３０ｎｍの赤色ＬＥＤ、発光ピーク波長８５０ｎｍの近赤外ＬＥＤ、発光ピーク波長９４０ｎｍの近赤外ＬＥＤおよび、それらの光源の複数個を図７のように円周上に配置したリング状光源１３などが糖分子の光吸収波長である７８３、８３０、８９９、１０３１ｎｍ付近の光を含まない光源として使用可能である。被測定対象から光散乱を発生させることができるすべての光源が使用可能である。さ���に果汁などの液体試料の検査では、図８のようにガラス製円筒容器１４に果汁を入れて光源１から光を照射し、散乱光検出器９を用いて光散乱強度および光散乱強度の角度分布を測定することができる。散乱光検出器８としては、ダイオードアレイを使った光ファイバ分光器などの分光測定器、Ｓｉフォトダイオードなどの半導体光検出器や光電子増倍管（フォトマルチプライヤー）などの光検出器がすべて使用可能である。光散乱強度の角度分布を測定するため、図３のように散乱光検出器８の散乱角度（θ）９を変えながら光散乱強度の角度分布を測定する方法、図５のように散乱角度（θ）９の値が異なる複数の散乱光検出器８を光ファイバ固定器１１を使って設置する方法などが利用できる。複数の検出器を設置する場合は少なくとも１個の検出器を１２０度以上かつ１５０度以下の範囲の糖度によって散乱強度が変化しない散乱角度に設置し、残りの検出器をその散乱角度よりも高角度側あるいは低角度側あるいはその両方に設置することにより、糖度の変化以外の原因による光散乱強度の変動（外乱）を補正することができる。散乱光検出器８の代わりに図９のように散乱角度９０度付近に設置した散乱画像撮影カメラ１２を使用することによって広い角度範囲の散乱強度の角度分布を２次元画像として測定することができる。散乱光検出器８としてダイオードアレイを使った光ファイバ分光器などの分光測定器を使用すれば、糖分子の光吸収波長以外の波長の光を選択して散乱強度を測定し糖度を検査することも可能である。
【発明の効果】
【００１１】  本発明の検査方法では、散乱光を使って青果物や果汁の非破壊検査が可能になるため、摘果前の品質検査、出荷前の品質検査などに利用できる。従来法のように糖分子の光吸収波長に限定されること無く、測定波長の制限が無いため被測定物の内部に侵入可能であれば可視光から赤外光までのさまざまな波長の光源を用いて効果的な測定が可能になる。糖分子が吸収する特定の波長の微弱な光吸収ではなく、さまざまな波長の光で生じる強力な光散乱を糖度測定に利用することができる。このため、光源としてはハロゲンランプなどの連続光の他に糖分子の光吸収波長の光を含まない光源が光散乱強度を使った糖度測定に使用可能である。散乱光検出器としてダイオードアレイを使った光ファイバ分光器などの分光測定器を使用すれば、糖分子の光吸収波長以外の波長の光を選択して散乱強度を測定し糖度を検査することも可能である。青果物や果汁では、青果物や果汁に含まれる植物繊維（セルロース、リグニンなど）による強力な光散乱のために光の透過率が著しく低下する。植物繊維は可視光から近赤外光にわたるさまざまな波長の光を散乱させるため、強力な散乱光に重畳する微弱な糖分子による光吸収を測定することは困難である。青果物や果汁では、散乱光の強度は圧倒的に強く糖分子による吸光度は微弱であるため、散乱光強度の測定は糖分子による光吸収の測定に比べて容易である。【００１２】  青果物や果汁の光散乱強度や散乱強度の空間分布は、散乱体と果汁の屈折率の比率で変化する。果汁の糖度が高いと屈折率が増加し、散乱体と液体の屈折率比が１に近づくため光散乱による透過損失が低下する。従って、青果物や果汁の散乱強度や散乱強度の空間分布を詳細に測定すれば、青果物や果汁に含まれる液体成分の屈折率に関する情報を得ることができる。糖度が高い青果物や果汁では液体成分の屈折率が大きく、セルロースやリグニンなどの青果物や果汁に含まれる光散乱体との屈折率比が１に近づくため光散乱強度が低下し、散乱強度の空間分布が変化する。散乱角度（θ）が１２０度以上かつ１５０度以下の範囲では、糖度の変化に対して光散乱強度が変化しない散乱角度が存在する。この散乱角度（θ）よりも高角度側では、糖度の増加に対して光散乱強度が減少し、低角度側では、糖度の増加に対して光散乱強度が増加する。糖度の変化に対して光散乱強度が変化しない散乱角度よりも高角度側（後方散乱側）では、糖度の増加によって果汁の屈折率が増加したことにより散乱体と果汁の屈折率比は１に近づき、散乱強度が低下したため光散乱強度が減少したと考えられる。糖度の変化に対して光散乱強度が変化しない散乱角度よりも低角度側（前方散乱側）では、果汁の糖度の増加によって光散乱による損失が減少したため光散乱強度が増加したと考えられる。したがって、あらかじめ標準試料を用いて散乱角度ごとに糖度と光散乱強度との間の検量線を作成すれば、光散乱強度の測定値から糖度を検査することができる。糖度の変化に対して光散乱強度が変化しない散乱角度での測定値は、糖度の変化以外の原因による光散乱強度の変動（いわゆる外乱）を補正するために利用できる。【００１３】  この方法では、甘み成分の光吸収を使う従来の近赤外光吸収測定法と異なり、��分子の光吸収とは関係なく光散乱強度が測定できれば糖度が非破壊検査可能である。このため、測定波長の制限が無く、散乱光が観測できれば可視光から近赤外光までのさまざまな波長の光が測定に使用可能であるという利点がある。本発明の検査装置では、散乱光の波長とは無関係にすべての散乱光が利用できるため、検出器に入射したすべての波長の散乱光の強度を合計して測定することにより、散乱強度が微弱な透明度の低い試料に対しても糖度検査が可能になる。本発明の検査方法を使えば、散乱体を含む半透明の液体や固体の屈折率に関する検査が非破壊で行えるため、青果物や果汁以外にも種々の食品や飲料、工業製品、原料などの非破壊品質検査に適用可能である。
【図面の簡単な説明】
【００１４】
【図１】光散乱を用いた非破壊検査装置の原理
【図２】オレンジジュースおよびトマトジュースの光吸収スペクトル
【図３】光散乱を用いた非破壊検査装置
【図４】果汁の糖度と屈折率の関係
【図５】複数の光散乱検出器を備えた非破壊検査装置
【図６】光散乱画像撮影カメラを備えた非破壊検査装置
【図７】リング状光源を備えた非破壊検査装置
【図８】ガラス製円筒容器を備えた果汁の非破壊検査装置
【図９】光散乱画像撮影カメラとガラス製円筒容器を備えた非破壊検査装置
【図１０】オレンジジュースの光散乱強度の角度分布の糖度による変化
【発明を実施するための形態】
【００１５】  本発明の検査装置は、図３のように青果物や果汁から散乱光を発生させるために光源用光ファイバ１０−１に接続した光源１と散乱光強度を測定するために検出器用光ファイバ１０−２に接続した散乱光検出器８から構成される。光源用光ファイバ１０−１および検出器用光ファイバ１０−２の両方あるいは片方を使わずに光源１および散乱光検出器８を直接青果物７に設置しても良い。光源１としては、ハロゲンランプなどの連続光の他にフィルターを使って赤外線を除去したハロゲンランプ（コールドライト）、白色ＬＥＤ、黄色ＬＥＤ、赤色ＬＥＤ、近赤外ＬＥＤ（波長８５０ｎｍ）、近赤外ＬＥＤ（波長９４０ｎｍ）および、それらの光源の複数個を図７のように円周上に配置したリング状光源１３などの糖分子の光吸収波長である７８３、８３０、８９９、１０３１ｎｍ付近の光を含まない光源が使用可能である。
【００１６】  本発明の検査装置では、果汁の屈折率変化による光散乱特性の変化をもとに果汁の糖度を検査するため、糖分子の光吸収波長以外の波長の光を使って糖度を測定することができる。糖分子の吸収波長に限定されること無く、青果物内部に侵入しやすい（透過しやすい）波長の光をすべて利用することが可能になり、光源を選ばない効果的な品質検査が可能になる。本発明の検査装置では、散乱光の波長とは無関係にすべての散乱光が利用できるため、検出器に入射したすべての波長の散乱光の強度を合計して測定することにより、散乱強度が微弱な透明度の低い試料に対しても糖度検査が可能になる。
【００１７】  散乱光の空間分布を測定するため、図３のように散乱光検出器８の散乱角度（θ）９の値を変えながら光散乱強度の角度分布を測定する方法、図５のように散乱角度（θ）９の値が異なる複数の散乱光検出器８を設置する方法、図６のように散乱光の画像を散乱角度９０度の位置に設置した散乱画像撮影カメラ１２を用いて撮影し、輝度分布を解析する方法を使って散乱光強度の角度分布を測定することにより、高精度に青果物の糖度を測定することができる。さらに果汁などの液体試料の検査では、図８のようにガラス製円筒容器１４に果汁を入れて光源１から光を照射し、散乱光検出器８を用いて光散乱強度および光散乱強度の角度分布を測定することができる。散乱光検出器８としては、ダイオードアレイを使った光ファイバ分光器などの分光測定器、Ｓｉフォトダイオードなどの半導体光検出器や光電子増倍管（フォトマルチプライヤー）などが使用できる。さらに散乱光検出器８の代わりに図９のように散乱角度９０度付近に設置した散乱画像撮影カメラ１２を使用することもできる。散乱光検出器８としてダイオードアレイを使った光ファイバ分光器などの分光測定器を使用すれば、糖分子の光吸収波長以外の波長の光を選択して散乱強度を測定し糖度を検査することも可能である。
【００１８】  青果物や果汁からの光散乱強度は散乱角度（θ）９によって変化することがわかっている。散乱角度（θ）９が１２０度以上かつ１５０度以下の範囲には、糖度の変化に対して光散乱強度が変化しない散乱角度が存在する。糖度の変化に対して光散乱強度が変化しない散乱角度よりも高角度側では、糖度の増加に対して光散乱強度が減少し、低角度側では、糖度の増加に対して光散乱強度が増加する。したがって、あらかじめ標準試料を用いて散乱角度ごとに糖度と光散乱強度との間の検量線を作成すれば、光散乱強度の測定値から糖度を検査することができる。１２０度以上かつ１５０度以下の角度範囲に存在する糖度の変化に対して光散乱強度が変化しない散乱角度における測定値を使えば、糖度の変化以外の原因による光散乱強度の変動（いわゆる外乱）を補正することができる。この原理を使えば、光散乱強度や光散乱強度の空間分布によって青果物の糖度が非接触かつ非破壊で測定できる。
【実施例１】
【００１９】  図８のようにガラス製円筒容器１４にオレンジジュース又はトマトジュースを入れて、光源用光ファイバ１０−１を通じて光源１からの光をガラス製円筒容器１４の果汁５に照射した。青果物の周りを同心円状に回転可能な台に検出器用光ファイバ１０−２を設置し、当該光ファイバを散乱光検出器８に接続した。散乱角度（θ）９の値を変えて散乱光強度を測定することにより光散乱強度の空間分布が測定できた。図２の光吸収スペクトルから、オレンジジュースでは、波長５００ｎｍから波長１１００ｎｍの波長領域では、比較的光吸収が少ないことがわかる。この波長領域では波長９７０ｎｍ付近に水（Ｈ２Ｏ）の光吸収ピークが見られる他には大きな光吸収ピークは観測できない。また、図２のトマトジュースの光吸収スペクトルから、トマトジュースでは、波長６００ｎｍから波長１１００ｎｍの波長領域では、比較的光吸収が少ないことがわかる。この波長領域ではオレンジジュースと同様に波長９７０ｎｍ付近に水（Ｈ２Ｏ）の光吸収ピークが見られる他には大きな光吸収ピークは観測できない。この結果からオレンジジュースでは、波長５００ｎｍから波長１１００ｎｍの波長領域の光源が、トマトジュースでは、波長６００ｎｍから波長１１００ｎｍの波長領域の光源がそれぞれ光散乱測定に使用できることがわかった。【００２０】  一例としてオレンジジュース５０ｇに砂糖（スクロース）を加えて糖度を１２％および４６％に調製した試料の光散乱強度の散乱角度による変化を図１０に示した。光源としては、フィルターを使って赤外線を除去したハロゲンランプ（コールドライト）を用いた。散乱光検出器８としては、ダイオードアレイを使った光ファイバ分光器を使用した。図１０から散乱角度１４０度付近では、光散乱強度の糖度による変化が極めて小さいことがわかった。散乱角度が１４０度よりも高角度側（後方散乱側）では、糖度の増加によって光散乱強度が減少した。１４０度よりも高角度側（後方散乱側）では、糖度の増加によってオレンジジュースの屈折率が増加したことにより散乱体と果汁の屈折率比は１に近づき、散乱強度が低下したため光散乱強度が減少したと考えられる。一方、散乱角度が１４０度よりも低角度側（前方散乱側）では、糖度の増加によって光散乱強度が増加した。これは、散乱角度が１４０度よりも低角度側（前方散乱側）では、オレンジジュースの糖度の増加によって光散乱による前方散乱光強度および透過光強度の損失が減少したため光散乱強度が増加したと考えられる。試料としてオレンジジュースの代わりにトマトジュースを用いた場合にも同様の現象が確認できた。
【実施例２】
【００２１】  濃縮還元オレンジジュース５０ｇに対して２、４、６、８、１０、１２、１４、１６、１８、２０ｇの砂糖（スクロース）を溶かした溶液を内容積１００ｍＬのメスフラスコに入れた。このメスフラスコの標線まで純水（イオン交換水）を加えて全量を１００ｍＬに調製した後に撹拌して標準溶液とした。図８のように、この標準試料をガラス製円筒容器１４に入れ、光源１としてフィルターを使って赤外線を除去したハロゲンランプ（コールドライト）を用いて、光源用光ファイバ１０−１を通じて光源１からの光をガラス製円筒容器１４の果汁５に照射した。青果物の周りを同心円状に回転可能な台に検出器用光ファイバ１０−２を設置し、検出器用光ファイバ１０−２を散乱光検出器８に接続した。散乱光検出器８としては、ダイオードアレイを使った光ファイバ分光器を使用した。糖度の異なる標準溶液からの散乱光強度の空間分布を測定した。あらかじめ光学式糖度計を用いて標準試料溶液の糖度を測定し散乱強度と糖度の関係を評価した。フィルターを使って赤外線を除去したハロゲンランプ（コールドライト）を光源として用い、糖分子の光吸収がない波長６００ｎｍ付近の可視光の光散乱強度が試料溶液の糖度の増加に対して直線的に変化することが確認できた。光散乱角度が１４０度よりも高角度側では、光散乱強度が試料溶液の糖度の増加に対して直線的に低下することが示された。一方、光散乱角度が１４０度よりも低角度側では、光散乱強度が試料溶液の糖度の増加に対して直線的に増加することが示された。近赤外線ＬＥＤ（発光波長９４０ｎｍ）を光源１として用いた場合にも同様の結果が測定できた。この結果から、光散乱強度の測定により果汁の非破壊糖度検査が可能であることが確認できた。
【実施例３】
【００２２】  濃縮還元トマトジュース５０ｇに対して２、４、６、８、１０、１２、１４、１６、１８、２０ｇの砂糖（スクロース）を溶かした溶液を内容積１００ｍＬのメスフラスコに入れた。このメスフラスコの標線まで純水（イオン交換水）を加えて全量を１００ｍＬに調製した後に撹拌して標準溶液とした。図８のように、この標準試料にフィルターを使って赤外線を除去したハロゲンランプ（コールドライト）の可視光線を光源１として、光源用光ファイバ１０−１を通じて光源１からの光をガラス製円筒容器１４の果汁５に照射した。青果物の周りを同心円状に回転可能な台に検出器用光ファイバ１０−２を設置し、検出器用光ファイバ１０−２を散乱光検出器８に接続した。散乱光検出器８としては、ダイオードアレイを使った光ファイバ分光器を使用した。それぞれの試料からの散乱光強度の空間分布を測定した。あらかじめ光学式糖度計を用いて標準試料溶液の糖度を測定し散乱強度と糖度の関係を評価した。糖分子の光吸収がない波長６３０ｎｍ付近の可視光源や近赤外光ＬＥＤ（波長９４０ｎｍ）を光源として用いた場合でも、光散乱強度が試料溶液の糖度の増加に対して直線的に変化することが確認できた。光散乱角度が１４０度よりも高角度側では、光散乱強度が試料溶液の糖度の増加に対して直線的に低下することが示された。一方、光散乱角度が１４０度よりも低角度側では、光散乱強度が試料溶液の糖度の増加に対して直線的に増加することが示された。トマトジュースでは赤色の色素の影響による光吸収のために黄色ＬＥＤを光源として用いた場合の散乱光強度は著しく弱かった。この結果から、光散乱強度の測定により果汁の非破壊糖度検査が可能であることが確認できた。
【実施例４】
【００２３】  市販のトマトを試料として、図３のように、フィルターを使って赤外線を除去したハロゲンランプ（コールドライト）の可視光線を光源１として、光源用光ファイバ１０−１を通じて光源１からの光をトマトに照射した。青果物７の周りを同心円状に回転可能な台に検出器用光ファイバ１０−２を設置し、検出器用光ファイバ１０−２を散乱光検出器８に接続した。散乱光検出器８としては、ダイオードアレイを使った光ファイバ分光器を使用した。散乱角度９（θ）の値を変えてトマトからの散乱光強度の空間分布を散乱光検出器８を用いて測定した。光散乱測定後に光学式糖度計を用いてトマトの糖度を測定し、光散乱強度と糖度の関係を評価した。コールドライトの可視光線を光源として、それぞれの試料からの散乱光強度の空間分布を測定した。あらかじめ光学式糖度計を用いて標準試料溶液の糖度を測定し散乱強度と糖度の関係を評価した。糖分子の光吸収がない波長６４０ｎｍおよび波長７１０ｎｍ付近の可視光を光源として用いた場合でも、近赤外光ＬＥＤ（波長９４０ｎｍ）を光源として用いた場合でも、光散乱強度が試料溶液の糖度に対して直線的に変化することが確認できた。光散乱角度が１４０度よりも高角度側では、光散乱強度が試料溶液の糖度の増加に対して直線的に低下した。トマトの光散乱測定では、トマトジュースと同様に赤色の色素の影響による光吸収のために黄色ＬＥＤを光源として用いた場合の散乱光強度が著しく弱かった。この結果から、光散乱強度の測定により青果物の非破壊糖度検査が可能であることが確認できた。
【産業上の利用可能性】
【００２４】  本発明の検査方法は、青果物や果汁の摘果前の品質検査および出荷前の品質検査などに利用できる。従来法のように糖分子の光吸収波長に限定されること無く、測定波長の制限が無いため被測定物の内部に侵入可能な波長の光を用いて効果的な測定が可能になる。糖分子が吸収する特定の波長の光だけではなく、さまざまな波長の光源をすべて利用することができる。本発明の検査方法を使えば、散乱体を含む半透明の液体や固体の屈折率に関する検査が非破壊で行えるため、青果物や果汁以外にも種々の食品や飲料、工業製品、原料などの非破壊品質検査に適用可能である。
【符号の説明】
【００２５】１  光源
２  散乱光
３  表面反射光、表面散乱光
４  光散乱体
５  果汁
６  透過光、前方散乱光
７  青果物
８  散乱光検出器
９  散乱角度（θ）
１０−１  光源用光ファイバ
１０−２  検出器用光ファイバ
１１  光ファイバ固定器
１２  散乱画像撮影カメラ
１３  リング状光源
１４  ガラス製円筒容器
【図１】
2019211456.tif 000003
【図２】
2019211456.tif 000004
【図３】
2019211456.tif 000005
【図４】
2019211456.tif 000006
【図５】
2019211456.tif 000007
【図６】
2019211456.tif 000008
【図７】
2019211456.tif 000009
【図８】
2019211456.tif 000010
【図９】
2019211456.tif 000011
【図１０】
2019211456.tif 000012